(57)【要約】      （修正有）【課題】低コストで構造が簡単でメンテナンスが容易な、水流中に微細小気泡を混入できるシャワーヘッドの構造を提供する。【解決手段】進気アセンブリ２０の一端には流入口２３を有する螺接セクション２１を、反対端にはハンドル１１の底端に組み入れられる流出口２５を有する嵌接セクション２２を有する。流入口と流出口とは水加速道２４を介して連通し、進気アセンブリの側辺には側凸台２６を設置する。進気アセンブリに設置された第一通気道２７の一端は水加速道２４、反対端は外部空気に通じ、第二通気道２８の一端は第一通気道、反対端は外部空気に通じる。キャップ３０は側凸台に螺合するように片側に通気孔３２を有する凸柱３１を、キャップの円周には蓋底縁３４を設置する。通気孔は第二通気道に連通し、蓋底縁は第一通気道の外部端を封鎖する。漏れ防止リング１６は第二通気道の外部端を封鎖するように螺接セクション２１に嵌めて設置される。【選択図】図４
0003208220.tif 000002
【実用新案登録請求の範囲】
【請求項１】
シャワーヘッドの構造であって、ハンドル、進気アセンブリ、キャップ、漏れ防止リングを有し、
前記ハンドルは、通道を有する管体で、
前記進気アセンブリは、円管体状を呈し、その一端には、流入口を有する螺接セクションを設置し、反対端には、流出口を有する嵌接セクションを有し、前記嵌接セクションを、前記ハンドルの底端に組み入れ、これにより前記通道は流出口に連通し、
前記流入口及び前記流出口の間には、水加速道を設置し、相互連通を呈し、
前記進気アセンブリの、前記螺接セクションに近い側辺には、円凹槽を備える側凸台を設置し、前記進気アセンブリには、径方向の第一通気道を設置し、その一端は、前記水加速道に通じ、及び反対端は、前記側凸台辺縁の外部空気に通じ、さらに軸方向の第二通気道を設置し、その一端は、前記第一通気道に通じ、及び反対端は、前記螺接セクション辺縁の外部空気に通じ、しかも前記円凹槽の槽底には、通孔を設置し、前記第二通気道と相互に連通し、
前記キャップの片側には、凸柱を設置し、前記キャップには、前記凸柱を貫通する通気孔を設置し、前記キャップ円周には、前記凸柱と同じ方向の蓋底縁を設置し、前記キャップの凸柱は、前記側凸台の円凹槽に螺合され、これにより前記通気孔と前記通孔とは、相互に連通し、しかも前記蓋底縁は、前記第一通気道外部端を封鎖し、
前記漏れ防止リングは、前記ハンドルの螺接セクションに嵌めて設置され、そのリング体は、前記第二通気道外部端を封鎖し、
上述の構造により、水流は、前記水加速道を通過し、高速水流を形成し、吸引力を生じ、これにより外部空気は前記通気孔より前記水加速道に混入し、こうして水流は微細小気泡を有することを特徴とするシャワーヘッドの構造。
【請求項２】
前記水加速道は順番に、孔径が徐々に縮小する第一錐孔セクション、小孔径の喉頸セクション及び孔径が徐々に拡大する第二錐孔セクションを有し、
前記第一錐孔セクションは、前記流入口に連通し、
前記第二錐孔セクションは、前記流出口に連通し、しかも前記第一通気道は、前記喉頸セクションに連通することを特徴とする請求項１に記載のシャワーヘッドの構造。
【請求項３】
前記流入口内には、円形のスポイラーを挿入し、その円周面には、複数の斜向槽道を環状に設置することを特徴とする請求項１に記載のシャワーヘッドの構造。
【請求項４】
前記円凹槽の内周面には、内ネジヤマを有し、
前記凸柱外周面には、外ネジヤマを設置することを特徴とする請求項１に記載のシャワーヘッドの構造。
【請求項５】
前記キャップ外表面には、溝槽を設置し、通気孔と、Ｔ字形交差を呈して配置されることを特徴とする請求項１に記載のシャワーヘッドの構造。
【請求項６】
前記ハンドルと前記進気アセンブリとの間には、装飾リングを嵌めて設置することを特徴とする請求項１に記載のシャワーヘッドの構造。
【考案の詳細な説明】
【技術分野】
【０００１】
本考案はシャワーヘッドの構造に関し、特に水流中に微細小気泡を混入させられるシャワーヘッドの構造に関する。
【背景技術】
【０００２】
シャワーヘッドは、一般家庭或いはビューティーサロンなどで使用される物品である。
しかも、近年は水流中に微小気泡を混合させマイナスイオンを発生させる長所が一般に知られるようになっている。
【０００３】
従来の微小気泡発生方式は、電力により駆動されるポンプ或いは気泡発生機をシャワーヘッドに取り付け、水流中に微小気泡を混合させるものである。
そして、これによりマイナスイオンを発生させる。
【０００４】
けれども、上述の方式には、以下のような欠点が存在する。
気泡発生機は、本体価格が高く、これに維持及びメンテナンス費用を加えれば、使用者はかなりの金額を負担しなければならなくなるため、気泡発生機の普及は伸び悩んでいる。
さらに、ポンプであろうと気泡発生機であろうと、その外付けパイプは煩雑な工事を必要とするため、消費者の購入意欲を低下させてしまっている。
すなわち、コストが低く、構造が簡単で、便利に使用でき、メンテナンスが容易な構造の開発が待たれている。
【考案の概要】
【考案が解決しようとする課題】
【０００５】
前記先行技術には、本体価格が高く、維持及びメンテナンス費用を加えることで、使用者が負担しなければならない金額はかなりの高額になり、さらに外付けパイプが煩雑な工事を必要とするため、消費者の購入意欲を低下させているという欠点がある。
【課題を解決するための手段】
【０００６】
本考案はシャワーヘッドに水加速道を有する進気アセンブリを設置し、進気アセンブリには第一、二通気道を設置して空気を取り込み水加速道中に混入させ、水流に微細小気泡を備えされ、マイナスイオンを発生するシャワーヘッドの構造に関する。
【０００７】
本考案によるシャワーヘッドの構造は、ハンドル、進気アセンブリ、キャップ、漏れ防止リングを有する。
該ハンドルは、通道を有する管体である。
該進気アセンブリは、円管体状を呈し、その一端には、流入口を有する螺接セクションを設置し、反対端には、流出口を有する嵌接セクションを有する。
該嵌接セクションを、該ハンドルの底端に組み入れ、これにより通道は流出口に連通する。
該流入口及び流出口の間には、水加速道を設置し、相互連通を呈する。
該進気アセンブリの、該螺接セクションに近い側辺には、円凹槽を備える側凸台を設置する。
該進気アセンブリには、径方向の第一通気道を設置し、その一端は、該水加速道に通じ、及び反対端は、該側凸台辺縁の外部空気に通じ、さらに軸方向の第二通気道を設置し、その一端は、第一通気道に通じ、及び反対端は、該螺接セクション辺縁の外部空気に通じ、しかも該円凹槽の槽底には、通孔を設置し、該第二通気道と相互に連通する。
該キャップの片側には、凸柱を設置し、該キャップには、該凸柱を貫通する通気孔を設置し、該キャップ円周には、該凸柱と同じ方向の蓋底縁を設置し、該キャップの凸柱は、該側凸台の円凹槽に螺合される。
これにより、該通気孔と該通孔とは、相互に連通し、しかも該蓋底縁は、該第一通気道外部端を封鎖する。
該漏れ防止リングは、該ハンドルの螺接セクションに嵌めて設置され、そのリング体は、該第二通気道外部端を封鎖する。
【０００８】
本考案の一実施例において、該水加速道は順番に、孔径が徐々に縮小する第一錐孔セクション、小孔径の喉頸セクション及び孔径が徐々に拡大する第二錐孔セクションを有する。
該第一錐孔セクションは、該流入口に連通し、該第二錐孔セクションは、該流出口に連通する。
しかも、該第一通気道は、該喉頸セクションに連通する。
【０００９】
本考案の一実施例において、該流入口内には、円形のスポイラーを挿入し、その円周面には、複数の斜向槽道を環状に設置する。
【００１０】
本考案の一実施例において、該円凹槽の内周面には、内ネジヤマを有し、該凸柱外周面には、外ネジヤマを設置する。
【００１１】
本考案の一実施例において、該キャップ外表面には、溝槽を設置し、該通気孔と、Ｔ字形交差を呈して配置される。
【００１２】
本考案の一実施例において、該ハンドルと該進気アセンブリとの間には、装飾リングを嵌めて設置する。
【考案の効果】
【００１３】
上述の構造により、水流は水加速道を通過して高速水流を形成し、吸引力を生じ、こうして外部空気は通気孔より水加速道に混入され、水流は微細小気泡を備え、マイナスイオンを発生する効果を達成できる。
【図面の簡単な説明】
【００１４】
【図１】本考案の立体分解図である。
【図２】本考案の組合せ立体図である。
【図３】本考案の断面図である。
【図４】本考案の局部拡大断面図である。
【考案を実施するための形態】
【００１５】
（一実施形態）
図１〜４図に示す通り、本考案によるシャワーヘッドの構造は、ハンドル１１、進気アセンブリ２０、キャップ３０、漏れ防止リング１６を有する。
【００１６】
ハンドル１１は、通道１２を有する管体である。
進気アセンブリ２０は、円管体状を呈し、その一端には、流入口２３を有する螺接セクション２１を設置し、反対端には、流出口２５を有する嵌接セクション２２を有する。
嵌接セクション２２を、ハンドル１１の底端に組み入れ、これにより通道１２は流出口２５に連通する。
流入口２３及び流出口２５の間には、水加速道２４を設置し、相互連通を呈する。
【００１７】
水加速道２４は順番に、孔径が徐々に縮小する第一錐孔セクション２４１、小孔径の喉頸セクション２４２及び孔径が徐々に拡大する第二錐孔セクション２４３を有する。
第一錐孔セクション２４１は、流入口２３に連通し、第二錐孔セクション２４３は、流出口２５に連通する。
流入口２３内には、円形のスポイラー２９を挿入し、その円周面には、複数の斜向槽道２９１を環状に設置する。
進気アセンブリ２０の、該螺接セクション２１に近い側辺には、円凹槽２６１を備える側凸台２６を設置する。
円凹槽２６１の内周面には、内ネジヤマ２６２を有する。
進気アセンブリ２０には、径方向の第一通気道２７を設置し、その一端は、喉頸セクション２４２に通じ、及び反対端は、側凸台２６辺縁の外部空気に通じ、さらに軸方向の第二通気道２８を設置し、その一端は、第一通気道２７に通じ、及び反対端は、螺接セクション２１辺縁の外部空気に通じ、しかも円凹槽２６１の槽底には、通孔２６３を設置し、第二通気道２８と相互に連通する。
【００１８】
キャップ３０片側には、外周面に外ネジヤマ３１１を有する凸柱３１を設置する。
キャップ３０には、凸柱３１中央を貫通する通気孔３２を設置し、その反対側外表面には、溝槽３３を設置し、通気孔３２と、Ｔ字形交差を呈して配置される。
キャップ３０円周には、凸柱３１と同じ方向の蓋底縁３４を設置し、キャップ３０の凸柱３１は、側凸台２６の円凹槽２６１に螺合される。
これにより、通気孔３２と通孔２６３とは、相互に連通し、しかも蓋底縁３４は、第一通気道２７外部端を封鎖する。
【００１９】
漏れ防止リング１６は、ハンドル１１の螺接セクション２１に嵌めて設置され、そのリング体は、第二通気道２８外部端を封鎖する。
【００２０】
上述の構造により、水流は、水加速道２４の喉頸セクション２４２を通過し、高速水流を形成し、低圧吸引力を発生する。
これにより、外部空気は、通気孔３２、通孔２６３、第二通気道２８及び第一通気道２７を通って、水加速道２４に混入し、こうして水流は微細小気泡４０を備え、マイナスイオン発生の効果を達成する。
【００２１】
本考案の組成について、詳細を以下に説明する。
図１〜図４に示す通り、本考案のシャワーヘッド１０上方には、アキュムレータ空間１３を一体に連接し、通道１２に連通する。
アキュムレータ空間１３一端には、出水孔１４を設置する。
進気アセンブリ２０は、各通道を加工しやすいため、独立部品とする。
嵌接セクション２２とハンドル１１とは、粘着或いは高周波手段により溶接し、その接合の間隙は、装飾リング１５とし、接合段差を修飾できる。
進気アセンブリ２０底端には、可撓性パイプを螺接し水源に連通し、漏れ防止リング１６により、密接漏れ防止を達成し、第二通気道２８の外部端を封鎖する。
【００２２】
水加速道２４の第一錐孔セクション２４１、喉頸セクション２４２及び第二錐孔セクション２４３は、ベンチュリ効果を形成する。
つまり、断面が変化する円錐管（大→小→大）を流体が通過する時、管の断面が縮小することで、流速が増大し圧力が低下し圧力差が生まれる。
喉頸セクション２４２の断面は最小で、その流速は最大で、圧力は最小である。
そのため、吸引作用を生じ、外部空気は、通気孔３２、第二通気道２８及び第一通気道２７を通じて吸入される。
【００２３】
図１〜図４に示す通り、水源を開くと、先ず水流は、流入口２３から進気アセンブリ２０に入り、スポイラー２９の斜め角度を備える斜向槽道２９１を通る。
水流通過時には、渦効果を生じ、水加速道２４に入る。
最初、水流は水加速道２４に充満しない。
水が充満するまで、その水流速度は緩やかであるため、ベンチュリ効果の吸引作用を発生する前は、いくらかの水流は、第一通気道２７、第二通気道２８へ向かう。
けれども、第一、二通気道２７、２８の内部空間内には空気が存在し、水流阻害作用を備えるため、水流は先ず空気を圧迫し、通気孔３２から放出しなければ、継続して流動前進することはできない。
圧迫過程が完成するまでに、進気アセンブリ２０の水加速道２４には水が充満し、喉頸セクション２４２の水流は速くなり、低圧吸引力を生じる。
これにより、第一、二通気道２７、２８に流入したばかりの水流は、再度水加速道２４に吸い戻される。
続いて、外部空気が水加速道２４の水流中に混入され、スポイラー２９が生じた渦は空気に均一に混合され、より微細な気泡４０を生じる。
気泡４０は水と摩擦、衝突し、マイナスイオンを発生する。
最後に、水流は通道１２、アキュムレータ空間１３を通過して、最後に出水孔１４より噴出し、水流は微細小気泡４０を備え、マイナスイオンを発生する効果を達成する。
【００２４】
図１、図２、図４に示す通り、キャップ３０の溝槽３３は、キャップ３０の外表面を横に貫通するため、手で握る位置がちょうどキャップ３０上である時にも、溝槽３３の両側から空気は通気孔３２に進入するため、詰まることはない。
すなわち、握る位置が不適切でも、進気を妨げることはない。
【００２５】
前述した本考案の実施形態は本考案を限定するものではなく、よって、本考案により保護される範囲は後述される実用新案登録請求の範囲を基準とする。
【符号の説明】
【００２６】
１０  シャワーヘッド、
１１  ハンドル、
１２  通道、
１３  アキュムレータ空間、
１４  出水孔、
１５  装飾リング、
１６  漏れ防止リング、
２０  進気アセンブリ、
２１  螺接セクション、
２２  嵌接セクション、
２３  流入口、
２４  水加速道、
２４１  第一錐孔セクション、
２４２  喉頸セクション、
２４３  第二錐孔セクション、
２５  流出口、
２６  側凸台、
２６１  円凹槽、
２６２  内ネジヤマ、
２６３  通孔、
２７  第一通気道、
２８  第二通気道、
２９  スポイラー、
２９１  斜向槽道、
３０  キャップ、
３１  凸柱、
３１１  外ネジヤマ、
３２  通気孔、
３３  溝槽、
３４  蓋底縁、
４０  気泡。
【図１】
0003208220.tif 000003
【図２】
0003208220.tif 000004
【図３】
0003208220.tif 000005
【図４】
0003208220.tif 000006